(57)【要約】【課題】  非伸縮性バンドの使用が可能で、レンズの装着及び取替え作業も容易に行え、かつ、装着レンズを長期に渡って安定保持することができ、しかも、構造も非常に簡単な部分リム眼鏡を提供すること。【解決手段】  バンド３の一端に、塊状の抜止めブロックを連結すると共に、このバンド３の抜止めブロックを結合するべきリムバー２の弧端部近傍にはスリーブ部材を固定し、かつ、このスリーブ部材の中空室には前記抜止めブロックを遊嵌すると共に、前記スリーブ部材の中空室のボトム部には、前記バンド３を挿通するバンド孔を開設して前記抜止めブロックに連なるバンド３を挿通し、かつ、前記中空室に装入した前記抜止めブロックと中空室内のボトム部との間には弾性部材４を圧縮可能に介装する一方、前記バンド３の他端部をリムバー２の他方の弧端部に連結して当該バンド３をリムバー２に吊設して構成した。【選択図】  図１
2008268311.tif 000002
【特許請求の範囲】
【請求項１】
レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31が連結されており、このバンド３の抜止めブロック31が結合されるべき対向するリムバー２の弧端部近傍にはスリーブ部材21が固定され、かつ、このスリーブ部材21の中空室22には前記抜止めブロック31が遊嵌されると共に、前記スリーブ部材21の中空室22のボトム部23には、前記バンド３が挿通されるバンド孔24が開設されて前記抜止めブロック31に連なるバンド３が挿通され、かつ、前記中空室22に装入された前記抜止めブロック31と中空室22内のボトム部23との間には弾性部材４が圧縮可能に介装され、
前記バンド３の他端部32は、前記弾性部材４を通してバンド孔24から中空室22の外へ引き出して、リムバー２の他方の弧端部に連結されて当該バンド３はリムバー２に吊設され、吊設されたバンド３によりレンズ１をリムバー２に圧接保持したこと特徴とする部分リム眼鏡におけるレンズ装着機構。
【請求項２】
レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31が連結されており、このバンド３の抜止めブロック31が結合されるべき対向するリムバー２の弧端部近傍に連接して配設されたヨロイ５にはスリーブ部材51が固定されており、かつ、このスリーブ部材51の中空室52には前記抜止めブロック31が遊嵌されると共に、前記スリーブ部材51の中空室52のボトム部53には、前記バンド３が挿通されるバンド孔54が開設されて前記抜止めブロック31に連なるバンド３が挿通され、かつ、前記中空室52に装入された前記抜止めブロック31と中空室52内のボトム部53との間には弾性部材４が圧縮可能に介装され、
前記バンド３の他端部32は、前記弾性部材４を通してバンド孔54から中空室52の外へ引き出して、リムバー２の他方の弧端部に連結されて当該バンド３はリムバー２に吊設され、吊設されたバンド３によりレンズ１をリムバー２に圧接保持したことを特徴とする部分リム眼鏡におけるレンズ装着機構。
【請求項３】
レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31が連結されており、このバンド３の抜止めブロック31が結合されるべき対向するリムバー２自体の弧端部近傍には挿入孔25が穿設され、かつ、この挿入孔25内に形成された中空室22には前記抜止めブロック31が遊嵌されると共に、前記挿入孔25内の中空室22のボトム部23には、前記バンド３が挿通されるバンド孔24が開設されて前記抜止めブロック31に連なるバンド３が挿通され、かつ、前記中空室22に装入された前記抜止めブロック31と中空室22内のボトム部23との間には弾性部材４が圧縮可能に介装され、
前記バンド３の他端部32は、前記弾性部材４を通してバンド孔24から中空室22の外へ引き出して、リムバー２の他方の弧端部に連結されて当該バンド３はリムバー２に吊設され、吊設されたバンド３によりレンズ１をリムバー２に圧接保持したこと特徴とする部分リム眼鏡におけるレンズ装着機構。
【請求項４】
レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31が連結されており、このバンド３の抜止めブロック31が結合されるべき対向するリムバー２の弧端部近傍に連接して配設されたヨロイ５には挿入孔55が穿設されており、かつ、この挿入孔55内に形成された中空室52には前記抜止めブロック31が遊嵌されると共に、前記挿入孔55の中空室52のボトム部53には、前記バンド３が挿通されるバンド孔54が開設されて前記抜止めブロック31に連なるバンド３が挿通され、かつ、前記中空室52に装入された前記抜止めブロック31と中空室52内のボトム部53との間には弾性部材４が圧縮可能に介装され、
前記バンド３の他端部32は、前記弾性部材４を通してバンド孔54から中空室52の外へ引き出して、リムバー２の他方の弧端部に連結されて当該バンド３はリムバー２に吊設され、吊設されたバンド３によりレンズ１をリムバー２に圧接保持したことを特徴とする部分リム眼鏡におけるレンズ装着機構。
【請求項５】
弾性部材４としてコイルスプリングＣをバンド３の周囲を巻き付かせたことを特徴とする請求項１〜４の何れか一つに記載の部分リム眼鏡におけるレンズ装着機構。
【請求項６】
弾性部材４として、密着高さの小さい円錐型、ツヅミ型、又はタル型のコイルスプリングＣを採用したことを特徴とする請求項５記載の部分リム眼鏡におけるレンズ装着機構。
【請求項７】
バンド３の抜止めブロック31が、バンド先端に筒状部材を接着又は溶接して設けられていることを特徴とする請求項１〜６の何れか一つに記載の部分リム眼鏡におけるレンズ装着機構。
【請求項８】
バンド３に熱可塑性を有する合成繊維モノフィラメントのテグスが使用されると共に、テグスの先端を塊状に溶融成形してバンド３の抜止めブロック31が形成されていることを特徴とする請求項１〜７の何れか一つに記載の部分リム眼鏡におけるレンズ装着機構。
【発明の詳細な説明】
【技術分野】
【０００１】
本発明は、部分リム眼鏡におけるレンズ装着機構の改良、詳しくは、非伸縮性バンドの使用が可能であり、レンズの装着作業及びその取替え作業も容易に行うことができ、併せて、長期に渡るレンズの安定保持も可能で、しかも、構造も非常に簡単な部分リム眼鏡におけるレンズ装着機構に関するものである。
【背景技術】
【０００２】
周知のとおり、ハーフリム眼鏡に代表される部分リム眼鏡は、視界の開放感やファッション性の高さから人気が高く、その部分リム眼鏡のレンズ保持構造としては、リム本体とリムに取り付けたナイロン糸等から成るコード（テグス）とによってレンズを包囲支持するものが一般的である。
【０００３】
そして、従来におけるこのようなレンズ保持構造から成る部分リム眼鏡のレンズ装着機構としては、リムの両弧端部にコード（テグス）を止着するための係止孔を設けたものがよく知られており、そのレンズ装着機構にあっては、リムの係止孔にテグス両端を取り付け、レンズ外周縁の一部をリムに固定した後、取着したバンド上に細幅の布帛（通称「リボン」）を垂れ掛け、前記固定したレンズの残りの外周縁に沿って前記垂れ掛けた布帛を引っ張りながらスライドさせることによってテグスをレンズのヤゲン溝に巻着してレンズの装着を行う（例えば、特許文献１参照）。
【０００４】
ところが、部分リム眼鏡においては、劣化による切断の虞れのあるテグスでなく、耐久性の高い鋼索を、レンズを保持用のバンドとして使用することも多く、上記のレンズ装着機構にあっては、伸縮性を有するテグスの物性に依存した構造であったため、非伸縮性線材である鋼索の使用に適さず、レンズを鋼索により緊締保持することができなかった。
【０００５】
また、上記従来におけるレンズ装着機構では、装着後のレンズを安定して支持できるように伸縮性の低いテグスを使用していたため、レンズのヤゲン溝にテグスを巻着するためにはテグスを目一杯に伸長させる必要があり、それをリボンを駆使して行う取り付け作業は非常に難しく、加えて、リムに対するテグスの取り付けに関しても、レンズ外周縁の長さに合わせて誤差が生じないように取着する必要があったことから、その作業には熟練者による高度の技巧が要求された。
【０００６】
そして更に、上記装着機構において装着したレンズを取り替える際には、テグスを一端弛めてレンズを取り外した後、新たに取り付けるレンズに合わせてテグスを付け直して上記レンズの装着作業を再度行わなければならず、非常に不便であった。
【０００７】
一方、従来においては、＜特許文献２＞にあるように、リムの弧端部周辺に配設するヨロイに雌ネジ孔部を形成すると共に、この雌ネジ孔部にバンドが連結されたネジ部材を螺着して構成し、前記ネジ部材を捻込むことによってバンド端部をネジ部材に巻き付けてバンドをレンズに緊締できるようにしたレンズ装着に係るバンドの張力調節機構も公知となっている。
【０００８】
しかしながら、上記従来におけるバンドの張力調節機構においては、レンズ装着作業の容易化や鋼索の使用が可能となるものの、眼鏡を継続して使用する際に、堅く締めたネジ部材が自然と緩んでしまい、それに応じてバンドも弛んでレンズの保持が不安定になってしまうことがあったため、定期的にネジ部材を締め直す作業が必要となり、非常に面倒であった。
【０００９】
加えて、上記バンドの張力調節機構では、雌ネジ孔部にネジ部材にバンドを巻付けるための空間である捲着部を形成する必要があり、かつ、その捲着部にバンドを引き入れるための挿通孔をヨロイの内側から横貫して設ける必要があったため、その構造がどうしても複雑になってしまい、特にメタルフレームを採用した場合にはその加工が大変で製造コスト的にも不満があった。
【特許文献１】特開平６０−１９０２２号公報（第２−５頁、第１〜３図）
【特許文献２】特開昭６０−１２０９２号公報（第２−６頁、第１〜９図）
【発明の開示】
【発明が解決しようとする課題】
【００１０】
本発明は、上記の如き問題に鑑みて為されたものであり、その目的とするところは、非伸縮性バンドの使用が可能で、かつ、レンズの装着作業及びその取替え作業を容易に行えることは勿論、装着レンズを長期に渡って弾力的に安定保持することができ、しかも、構造も非常に簡単で製造コストも低廉な部分リム眼鏡を提供することにある。
【課題を解決するための手段】
【００１１】
本発明者が、上記課題を解決するために採用した手段を添付図面を参照して説明すれば次のとおりである。
【００１２】
即ち、本発明は、レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31を連結しており、このバンド３の抜止めブロック31を結合するべき対向するリムバー２の弧端部近傍にはスリーブ部材21を固定し、かつ、このスリーブ部材21の中空室22には前記抜止めブロック31を遊嵌すると共に、前記スリーブ部材21の中空室22のボトム部23には、前記バンド３を挿通するバンド孔24を開設して前記抜止めブロック31に連なるバンド３を挿通し、かつ、前記中空室22に装入した前記抜止めブロック31と中空室22内のボトム部23との間には弾性部材４を圧縮可能に介装する一方、
前記バンド３の他端部32を、前記弾性部材４を通してバンド孔24から中空室22の外へ引き出し、リムバー２の他方の弧端部に連結して当該バンド３をリムバー２に吊設し、吊設したバンド３によりレンズ１をリムバー２に圧接保持して構成した点に特徴がある。
【００１３】
また、本発明においては、上記課題を解決するために、必要に応じて上記手段に加え、弾性部材４としてコイルスプリングＣをバンド３の周囲に螺旋状に巻き付けるという技術的手段を採用することができる。
【００１４】
また、本発明においては、上記課題を解決するために、必要に応じて上記手段に加え、弾性部材４として、密着高さの小さい円錐型、ツヅミ型、又はタル型のコイルスプリングＣを採用するという技術的手段を採用することができる。
【００１５】
また、本発明においては、上記課題を解決するために、必要に応じて上記手段に加え、バンド３の抜止めブロック31を、バンド先端に筒状部材を接着又は溶接して設けるという技術的手段を採用することができる。
【００１６】
また、本発明においては、上記課題を解決するために、必要に応じて上記手段に加え、バンド３に熱可塑性を有する合成繊維モノフィラメントのテグスを使用し、更に、このテグスの先端を塊状に溶融成形してバンド３に抜止めブロック31を形成するという技術的手段を採用することができる。
【００１７】
また、本発明においては、上記課題を解決するために、必要に応じて上記手段に加え、レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31を連結しており、このバンド３の抜止めブロック31を結合するべき対向するリムバー２の弧端部近傍に連接して配設したヨロイ５にはスリーブ部材51を固定しており、かつ、このスリーブ部材51の中空室52には前記抜止めブロック31を遊嵌すると共に、前記スリーブ部材51の中空室52のボトム部53には、前記バンド３が挿通されるバンド孔54を開設して前記抜止めブロック31に連なるバンド３を挿通し、かつ、前記中空室52に装入した前記抜止めブロック31と中空室52内のボトム部53との間には弾性部材４を圧縮可能に介装する一方、
前記バンド３の他端部32を、前記弾性部材４を通してバンド孔54から中空室52の外へ引き出し、リムバー２の他方の弧端部に連結して当該バンド３をリムバー２に吊設し、吊設したバンド３によりレンズ１をリムバー２に圧接保持して構成するという技術的手段を採用することができる。
【００１８】
また、本発明においては、上記課題を解決するために、必要に応じて上記手段に加え、レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31を連結し、このバンド３の抜止めブロック31を結合するべき対向するリムバー２自体の弧端部近傍には挿入孔25を穿設し、かつ、この挿入孔25内に形成した中空室22には前記抜止めブロック31を遊嵌すると共に、前記挿入孔25内の中空室22のボトム部23には、前記バンド３が挿通されるバンド孔24を開設して前記抜止めブロック31に連なるバンド３を挿通し、かつ、前記中空室22に装入された前記抜止めブロック31と中空室22内のボトム部23との間には弾性部材４を圧縮可能に介装し、
前記バンド３の他端部32を、前記弾性部材４を通してバンド孔24から中空室22の外へ引き出して、リムバー２の他方の弧端部に連結して当該バンド３をリムバー２に吊設し、吊設したバンド３によりレンズ１をリムバー２に圧接保持して構成するという技術的手段を採用することができる。
【００１９】
また、本発明においては、上記課題を解決するために、必要に応じて上記手段に加え、レンズ１の外周縁における上弦部もしくは下弦部、又は左右側弦部を弧状のリムバー２によって支持し、残りのレンズ外周縁をバンド３により緊締保持して構成される部分リム眼鏡において、
前記バンド３の少なくとも一端には、塊状の抜止めブロック31を連結しており、このバンド３の抜止めブロック31を結合するべき対向するリムバー２の弧端部近傍に連接して配設したヨロイ５には挿入孔55を穿設し、かつ、この挿入孔55内に形成した中空室52には前記抜止めブロック31を遊嵌すると共に、前記挿入孔55の中空室52のボトム部53に、前記バンド３を挿通するバンド孔54を開設して前記抜止めブロック31に連なるバンド３を挿通し、かつ、前記中空室52に装入した前記抜止めブロック31と中空室52内のボトム部53との間には弾性部材４を圧縮可能に介装する一方、
前記バンド３の他端部32を、前記弾性部材４を通してバンド孔54から中空室52の外へ引き出し、リムバー２の他方の弧端部に連結して当該バンド３をリムバー２に吊設し、吊設したバンド３によりレンズ１をリムバー２に圧接保持して構成するという技術的手段を採用することができる。
【発明の効果】
【００２０】
本発明では、バンドの端部に抜止めブロックを連結すると共に、前記抜止めブロックが遊嵌可能で、かつ、ボトム部にバンドを挿通可能なバンド孔を備えた中空室を有するスリーブ部材をリムバーの弧端部近傍に固着し、更にこのスリーブ部材の中空室に装入した抜止めブロックとボトム部との間に弾性部材を圧縮可能に介装したことにより、バンドをリムバーに吊設した後、その吊設したバンドを引っ張り操作すれば抜止めブロックが弾性部材を圧縮して、吊設したバンドを一時的に伸長させることができるため、伸縮性が非常に小さいテグスや非伸縮性の鋼索であっても高度な技巧を要することなく簡単にレンズのヤゲン溝に巻着させることが可能となる。
【００２１】
しかも、リムバーに対してバンドを取り付けた際、吊設したバンドの長さとレンズ外周縁の長さとに誤差が生じたとしても、弾性部材の伸縮範囲内ならば問題なくレンズを装着できるため、素人であってもレンズの取り付け作業を容易に行うことができる。
【００２２】
なお、レンズのヤゲン溝に巻着されたバンドは、圧縮された弾性部材の反発力で縮退してレンズを弾力的に圧接保持するため、安定的なレンズの装着状態を長期間に渡って維持することができる。
【００２３】
一方、装着したレンズを別のレンズに取り替える場合にあっても、バンドをわざわざ取り外すことなく吊設したままの状態で取り替え作業を簡単に行うことができ、しかも、弾性部材の伸縮範囲内ならば装着レンズと新たに取り付けるレンズとの大きさに違いがあってもそのまま付け替えることができるため、非常に便利である。
【００２４】
また、本発明におけるレンズ装着機構は、バンドに連結した抜止めブロック、リムバーに形成した中空室、そして中空室内に付設した弾性部材とから成る非常に簡単な構造であるため、製造面においても非常に有利である。
【００２５】
したがって、本発明により、レンズの取付けや取替え作業に係る機能性及び利便性が非常に高く、かつ、レンズの安定保持に関する安全面でも優れた部分リム眼鏡を安価に提供することができることから、本発明の実用的利用価値は頗る高い。
【発明を実施するための最良の形態】
【００２６】
『実施例１』
まず、本発明の実施例１について、図１から図４に基いて説明する。まず、符号１で指示するものは、レンズであり、符号２で指示するものは、リムバーである。そして、符号３で指示するものは、バンドであり、符号４で指示するものは、弾性部材である。
【００２７】
しかして、本実施例の構成を以下に説明する。まず、本実施例では、部分リム眼鏡におけるレンズ１を支持するためのリムバー２を、金属板材から成る薄板状のフロント部Ｆとこのフロント部Ｆの背面に設けられ、かつ、レンズ１の上弦部を嵌装して固定するレンズ固定部Ｓから成る形状で作製した（図１、図２参照）。
【００２８】
次いで、前記リムバー２で支持されないレンズ１下弦部を巻着するためのバンド３として、ステンレスファイバーを縒り合わせた強靱な鋼索を使用するとともに、そのバンド３の一端には、筒状部材をスポット溶接して円柱状の抜止めブロック31を形成した（図３参照）。なお、抜止めブロック31は、塊状部材をバンド３に接着するだけでもよい。
【００２９】
そして、前記リムバー２の弧端部近傍におけるフロント部Ｆの背面にはスリーブ部材21を固着し、このスリーブ部材21の中空室22には前記バンド３の抜止めブロック31を遊嵌して、中空室21のボトム部23に開設したバンド孔24に抜止めブロック31に連なるバンド３を挿通した。
【００３０】
一方、前記リムバー２の中空室22内においては、装入したバンド３の抜止めブロック31と中空室22内のボトム部23との間に、弾性部材４を圧縮可能に介装した（図３参照）。
【００３１】
なお、本実施例では、弾性部材４として伸縮性の高いコイルスプリングＣをバンド３に螺旋状に巻き付けて使用している。
【００３２】
そして、前記中空室21の外へ引き出したバンド３の他端部32を、リムバー２の他方の弧端部に連結してバンド３をリムバー２に吊設した。
【００３３】
上記のように構成したことによって、図４に示すように、バンド３を引っ張り操作すれば、スリーブ部材21の中空室22内で抜止めブロック31が弾性部材４を圧縮して吊設したバンド３を一時的に伸長させることができるため、バンド３が非伸縮性の鋼索であっても簡単にレンズ１のヤゲン溝11に巻着させることができ、また、リムバー２に対するバンド３の取り付けにおいて、吊設したバンド３の長さとバンドを巻着するレンズ１外周縁の長さとに多少誤差があったとしても弾性部材４の伸縮範囲内ならば問題なくレンズ１を装着することができる。
【００３４】
そして、レンズ１のヤゲン溝11に巻着したバンド３が圧縮された弾性部材４の反発力により縮退し、レンズ１を弾力的に圧接保持せしめることによって、レンズの安定的な装着状態を作出することができる。
【００３５】
また、上記の構成によれば装着したレンズ１の取り替えに関しても、バンド３を吊設したままの状態で行うことができ、しかも、弾性部材４の伸縮範囲内ならば装着レンズ１と新たに取り付けるレンズ１のサイズが違っていてもそのまま付け替えることができ、非常に便利である。
【００３６】
そしてまた、上記レンズ装着機構は、中空室22を備えたリムバー２、抜止めブロック31を有するバンド３、そして伸縮性を有する弾性部材４とから成る非常に簡単な構造であるため、製造コストが嵩むようなこともない。
【００３７】
『実施例２』
次に、本発明の実施例２について図５及び図６に基いて以下に詳細に説明する。なお、図中において、符号５で指示するものは、ヨロイである。本実施例では、フロント部Ｆとレンズ固定部Ｓから成るリムバー２の弧端部近傍に連接して配設したヨロイ５に対してスリーブ部材51を固着した（図５、図６参照）。
【００３８】
これにより、スリーブ部材51の中空室52にバンド３の抜止めブロック31を遊嵌して、バンド３をレンズ１のヤゲン溝11に巻着すれば、スリーブ部材51内に付設した弾性部材４の伸縮作用によってバンド３を伸長させることができる。
【００３９】
『実施例３』
次に、本発明の実施例３について図７及び図８に基いて以下に詳細に説明する。本実施例では、リムバー２上面の弧端部近傍に、内部に中空室22を有する挿入孔25を穿設し、前記中空室22のボトム部23には、リムバー２下面まで貫通したバンド孔24を設けた（図７、図８参照）。
【００４０】
また、弾性部材４には、円筒型よりも密着高さの小さいツヅミ型のコイルスプリングＣを使用して、コイルスプリングＣの伸縮性を向上した。なお、ツヅミ型と同様に密着高さの小さい形態として円錐型やタル型のコイルスプリングＣを使用しても同様の効果を得ることができる。
【００４１】
『実施例４』
次に、本発明の実施例４について図９及び図１０に基いて以下に詳細に説明する。本実施例では、リムバー２の弧端部近傍に連接して配設したヨロイ５上面に、中空室52を内部に形成した挿入孔55を穿設すると共に、ヨロイ５のレンズ側側面には前記挿入孔55に連通するバンド孔54を開設して構成した（図９、図１０参照）。
【００４２】
また、バンド３にはナイロン糸製のテグスを使用し、このテグス先端を溶融成形することによって球状の抜止めブロック31を形成した。
【００４３】
『実施例５』
次に、本発明の実施例５について図１１に基いて以下に詳細に説明する。本実施例においては、弾性部材４としてバンド３の挿通孔41を有した玉型のゴム体を使用し、このゴム体をバンド３に数珠繋ぎ状に配設して構成した（図１１参照）。
【００４４】
これにより、吊設したバンド３を引っ張り操作すれば、弾性部材４であるゴム体がリムバー２の中空室21内で圧縮変形することによりバンド３を伸長させることができる。
【００４５】
本発明は、概ね上記のように構成されるが、図示の実施形態に限定されるものでは決してなく、「特許請求の範囲」の記載内において種々の変更が可能であって、例えば、リムバー２は、メタルフレーム、プラスチックフレーム、又はコンビネーションフレームの何れの材質であってもよく、また、リムバー２の形態に関してもレンズ１の下弦部や左右側弦部を支持するものであってもよい。
【００４６】
また、レンズ１の上弦部又は下弦部を支持するリムバー２において、テンプル側弧端部でなくブリッジ側弧端部にスリーブ部材21を配設してもよく、何れも本発明の技術的範囲に属する。
【産業上の利用可能性】
【００４７】
近年においても、洗練されたデザインのハーフリム眼鏡の人気は眼鏡市場において依然高く、老若男女問わず様々な需要者層から支持を受けている。また最近では、ハーフリム眼鏡を長期使用した際に起るバンドの劣化による切断が問題視されており、特に自動車の運転時などに突然バンドが切れてレンズが落下した場合等には、着用者が命の危険に晒される虞れすらある。
【００４８】
そのような中で、本発明の部分リム眼鏡におけるレンズ装着機構は、従来店員しか行うことができなかったレンズの装着作業及び取替え作業を素人でも簡単に行うことができ、しかも、劣化による切断が極めて生じ難い鋼索等をバンドとして使用することができる眼鏡の安全性の向上を図るに適した技術であることから、市場における需要は大きく、本発明の産業上の利用価値は非常に高いと云える。
【図面の簡単な説明】
【００４９】
【図１】本発明の実施例１における部分リム眼鏡のレンズ装着機構を表わす全体斜視図である。
【図２】本発明の実施例１における部分リム眼鏡のレンズ装着機構を表わす説明断面図である。
【図３】本発明の実施例１における部分リム眼鏡のレンズ装着機構を表わす説明断面図である。
【図４】本発明の実施例１における部分リム眼鏡のレンズ装着機構を表わす説明断面図である。
【図５】本発明の実施例２における部分リム眼鏡のレンズ装着機構を表わす全体斜視図である。
【図６】本発明の実施例２における部分リム眼鏡のレンズ装着機構を表わす説明断面図である。
【図７】本発明の実施例３における部分リム眼鏡のレンズ装着機構を表わす全体斜視図である。
【図８】本発明の実施例３における部分リム眼鏡のレンズ装着機構を表わす説明断面図である。
【図９】本発明の実施例４における部分リム眼鏡のレンズ装着機構を表わす全体斜視図である。
【図１０】本発明の実施例４における部分リム眼鏡のレンズ装着機構を表わす説明断面図である。
【図１１】本発明の実施例５における部分リム眼鏡のレンズ装着機構を表わす説明断面図である。
【符号の説明】
【００５０】
１  レンズ
11  ヤゲン溝
２  リムバー
21  スリーブ部材
22  中空室
23  ボトム部
24  バンド孔
25  挿入孔
３  バンド
31  抜止めブロック
32  他端部
４  弾性部材
41  挿通孔
５  ヨロイ
51  スリーブ部材
52  中空室
53  ボトム部
54  バンド孔
55  挿入孔
Ｆ  フロント部
Ｓ  レンズ固定部
Ｃ  コイルスプリング
【図１】
2008268311.tif 000003
【図２】
2008268311.tif 000004
【図３】
2008268311.tif 000005
【図４】
2008268311.tif 000006
【図５】
2008268311.tif 000007
【図６】
2008268311.tif 000008
【図７】
2008268311.tif 000009
【図８】
2008268311.tif 000010
【図９】
2008268311.tif 000011
【図１０】
2008268311.tif 000012
【図１１】
2008268311.tif 000013